(57)【特許請求の範囲】
【請求項１】
端部に第１当接部を有し、内部に空洞部を有し、複数のケースに分割可能であり、分割された一方のケースは第１の突起を有し、分割された他方のケースは前記第１の突起が嵌る穴を有する第１の部材と、
第２当接部と棒状部とを有し、前記棒状部は第２の突起を有し、棒状部の端部から前記第２の突起までの部分が、前記第１の部材の空洞部内にバネとともにセットされ、前記第１の部材内部をスライド可能に設けられる第２の部材と、
前記第１の部材内に前記第２の部材の一部が挿入された状態で、前記第１部材が複数のケースに分割しないように止める止め部材とを具備し、口内に装着されることを特徴とする口の運動具。
【請求項２】
前記止め部材はビニールカバーであることを特徴とする請求項１記載の口の運動具。
【発明の詳細な説明】
【０００１】
【発明の属する技術分野】
本発明は、医療用、美容用等に用いられる口の運動具に関するものである。
【０００２】
【従来の技術】
従来、交通事故等を起こした後、口および顎の運動を復帰するためにリハビリが行われていた。
【０００３】
【発明が解決しようとする課題】
このような口および顎の運動を行う運動具を提供することにある。
【課題を解決するための手段】
前述した目的を達成するために本発明は、端部に第１当接部を有し、内部に空洞部を有し、複数のケースに分割可能であり、分割された一方のケースは第１の突起を有し、分割された他方のケースは前記第１の突起が嵌る穴を有する第１の部材と、第２当接部と棒状部とを有し、前記棒状部は第２の突起を有し、棒状部の端部から前記第２の突起までの部分が、前記第１の部材の空洞部内にバネとともにセットされ、前記第１の部材内部をスライド可能に設けられる第２の部材と、前記第１の部材内に前記第２の部材の一部が挿入された状態で、前記第１部材が複数のケースに分割しないように止める止め部材とを具備し、口内に装着されることを特徴とする口の運動具である。
【０００４】
【発明の実施の形態】
以下、図面に基づいて本発明の実施の形態を詳細に説明する。図１は、本発明の実施の形態に係る口の運動具１の斜視図である。図１に示すように、口の運動具１は、第１部材３、第２部材７、ビニールカバー９からなる。
【０００５】
第１部材３は、ケース１１ａとケース１１ｂが嵌合されてなる。境界５はケース１１ａとケース１１ｂとの境界である。第２部材７は、第１部材３内をスライド可能であり、ビニールカバー９は第１部材３のケース１１ａとケース１１ｂが分割しないように止めるものである。
【０００６】
図２はケース１１ａを図１のＡ方向から見た平面図であり、図３はケース１１ｂを図１のＡ方向から見た平面図である。図２に示すように、ケース１１ａは、湾曲部１３ａと当接部１５ａを有する。図３に示すように、ケース１１ｂは、湾曲部１３ｂと当接部１５ｂを有する。湾曲部１３ｂには、空洞部１７ｂが設けられる。
【０００７】
図２に示すケース１１ａの裏側にも、図３で示されるような空洞部（図示せず）が設けられる。また、当接部１５ｂには突起１８が設けられ、当接部１５ａにはこの突起１８が嵌まる穴（図示せず）が設けられる。ケース１１ａとケース１１ｂとは、この突起１８が穴（図示せず）に嵌まることにより嵌合して第１部材３が形成される。そして、第１部材３の内部には筒状の空洞部が形成される。
【０００８】
図４は、第２部材７を示す図である。第２部材７は、棒状部２１、第２当接部２３からなり、棒状部２１はリング状の突起２５を有し、棒状部２１の端部には棒状部２１よりもやや直径の大きい端部２７が形成される。棒状部２１は、第１部材３の空洞部１７にセットして使用される。突起２５は、棒状部２１が第１部材３内をスライドする範囲を制限する。
【０００９】
図５は、バネ３１の斜視図である。バネ３１は、空洞部１７内に収納される程度の大きさを有する。図６は、ビニールカバー９の斜視図である。ビニールカバー９は、第１部材３が分割しないように止める止め部材である。即ち、ケース１１ａとケース１１ｂを嵌合させ、ビニールカバー９を装着する。
【００１０】
ここで、口の運動具１を使用するときの手順を説明する。例えば、ケース１１ｂの空洞部１７ｂに、バネ３１をセットし、第２部材７の棒状部２１をセットする。バネ３１と棒状部２１がセットされた状態で、ケース１１ａにケース１１ｂを嵌合させ、ビニールカバー９を装着して、口内に入れて使用する。
【００１１】
図７は、口の運動具１の断面図である。図７に示すように、第１部材３のケース１１ａとケース１１ｂとは、ビニールカバー９で止められ、内部に空洞部１７が形成される。第２部材７の棒状部２１は、バネ３１を押圧して第１部材３の空洞部１７内をスライドすることができる。そして、バネ３１により第２部材７が押圧された場合は、突起２５がストッパの働きをする。
【００１２】
図８は、人が運動具１を口内５９に装着した場合の人の頭を上から見た図である。図８に示されるように、口内５９に運動具１が装着される。図８において、５３は頭、５５は目、５７は鼻を示す。
【００１３】
図９、図１０は、人が運動具１を装着した場合の人の顔を正面から見た図である。図９に示す状態では、口を横長にしており、バネ３１の働きにより第１当接部１５および第２当接部２３が口内に密着する。図９において、６１は口（正確にいうと唇の外縁部）を示す。図１０に示す状態では口を鉛直方向に開いた状態である。この状態では図９に示す状態から第１当接部１５、第２当接部２３が第９図Ｂ方向に移動される。そして、第１当接部１５、第２当接部２３はバネ３１の働きにより口内に密着する。
【００１４】
人は、図９に示すように口を横長にして閉じた状態と、図１０に示すように口を縦方向に開いた状態を繰り返すことによって、口、顎およびその周辺の運動を行う。このように本実施の形態では、ビニールカバー９を取り外して、第１部材３を分解すれば、内部のバネ３１や第２部材７を取り出して簡単に清掃等を行うことができる。
【００１５】
以上、第１部材３が２分割される場合を説明したが、第１部材３は３分割、４分割も可能である。また、第１部材３を分割し、第２部材７及びバネ３１を清掃することができる。
【００１６】
このように、本実施の形態に係る口の運動具１を用いれば、口の周辺のリハビリを行うことができる。また、本発明は、リハビリ以外にも美容用としても用いることができる。尚、第１部材３を止める部材としては、ビニールカバー９以外のものを用いてもよい。
なお、前述した実施の形態では、第１部材の内部にバネ３１を設けたが、バネ３１の代わりに空気バネの構造したり、第１部材の内部に磁石等を設けるような口の運動具にも本発明を適用することができる。
【００１７】
【発明の効果】
以上、詳細に説明したように本発明では、口および顎の運動を行う運動具を提供することができる。また、第１部材を分解すれば、内部の第２部材等を取り出して簡単に清掃等を行うことができる。
【図面の簡単な説明】
【図１】  本発明の実施の形態に係る口の運動具１の斜視図
【図２】  ケース１１ａを図１のＡ方向から見た平面図
【図３】  ケース１１ｂを図１のＡ方向から見た平面図
【図４】  第２部材７を示す図
【図５】  バネ３１の斜視図
【図６】  ビニールカバー９の斜視図
【図７】  口の運動具１の断面図
【図８】  運動具１を口内に装着し、頭の上方から見た図
【図９】  運動具１を口内に装着し、顔の正面から見た図
【図１０】  運動具１を口内に装着し、顔の正面から見た図
【符号の説明】
１………口の運動具
３………第１部材
５………境界
７………第２部材
９………ビニールカバー
１１………ケース
１３………湾曲部
１５………第１当接部
１７………空洞部
２１………棒状部
２３………第２当接部
２５………突起
２７………端部
３１………バネ
【図１】
0003930604.tif 000002
【図２】
0003930604.tif 000003
【図３】
0003930604.tif 000004
【図４】
0003930604.tif 000005
【図５】
0003930604.tif 000006
【図６】
0003930604.tif 000007
【図７】
0003930604.tif 000008
【図８】
0003930604.tif 000009
【図９】
0003930604.tif 000010
【図１０】
0003930604.tif 000011